【手続補正書】
【提出日】平成25年12月9日(2013.12.9)
【手続補正１】
【補正対象書類名】特許請求の範囲
【補正対象項目名】全文
【補正方法】変更
【補正の内容】
【特許請求の範囲】
【請求項１】
ネットワーク通信システムにおける位置決定のために少なくとも一部はコンピューティング装置において実行される方法であって、
ターゲットのコンピューティング装置が主にローカルに使用されているか否かを判定するステップと、
前記ターゲットのコンピューティング装置が主にローカルに使用されている場合に、前記ターゲットのコンピューティング装置がマルチユーザー装置であるか否かを判定するステップと、
前記ターゲットのコンピューティング装置がマルチユーザー装置であった場合に、対象のユーザーが前記ターゲットのコンピューティング装置の主ユーザーであるか否かを判定するステップと、
前記対象のユーザーが前記ターゲットのコンピューティング装置の前記主ユーザーであった場合に、前記対象のユーザーに対する物理的位置情報を取得するステップと、
ローカルな使用とリモートの使用との比率、ローカルなユーザーによる前記ターゲットのコンピュータ装置のピーク使用比率、及び前記対象のユーザーによる入力のうちの１つ上に基づいて信頼度を判定するステップと、
前記信頼度が前記対象のユーザーによる入力に基づいて判定された場合、低い信頼度値を前記信頼度に割り当てるステップと、
前記物理的位置情報および信頼度を位置情報サービスに提供するステップと
を含むことを特徴とする方法。
【請求項２】
前記位置情報サービスが緊急応答サービスであり、前記対象のユーザーが、前記ターゲットのコンピューティング装置で実行される通信アプリケーションにより緊急事態を報告している者である、請求項１に記載の方法。
【請求項３】
前記ターゲットのコンピューティング装置がシングルユーザーのコンピューティング装置であると判定された場合、高い信頼度値を前記信頼度に割り当てるステップをさらに有する請求項１に記載の方法。
【請求項４】
ログイン、ログアウト、再接続、切断、ブート、リブート、シャットダウン、ワークステーションロック、ワークステーションのアンロック及びスクリーンセーバの解除による群中の少なくとも１つを含むイベントに基づいて、前記ターゲットのコンピューティング装置が主にローカルに使用されているか否かを判定するステップを更に有する請求項１に記載の方法。
【請求項５】
周期的な間隔及びランダムな間隔のうち何れかにより前記物理的位置情報を判定するステップと、
前記位置情報サービスからの要求に応じて、前記物理的位置情報の確認を行うステップと
を更に有する請求項１に記載の方法。
【請求項６】
当該方法が、ローカル対リモートの使用比率と第１の閾値との比較、及びピーク使用比率と第２の閾値との比較に基づいて、前記信頼度を決定するステップを更に有し、前記第１及び第２の閾値は、ターゲットのコンピューティング装置のタイプ、ネットワークのタイプ、時刻、前記ネットワーク内のコンピューティング装置の数、使用パターン、及び前記コンピューティング装置の地理的な分布による群中の少なくとも１つに基づいて決定される、請求項１に記載の方法。
【請求項７】
ネットワーク通信システムにおける正確な位置情報を提供するためのコンピューティング装置であって、
複数のクライアント装置と通信するための通信コンポーネントと、
メモリと、
前記メモリに結合され、位置情報サービスによる処理を実行するプロセッサと
を有し、前記処理は、
ターゲットのクライアント装置についてのローカルな使用比率（Ｌ／Ｒ）を決定するステップと、
前記Ｌ／Ｒが第１の閾値より高かった場合に、前記ターゲットのクライアント装置についてのピーク使用比率（Ｐ／Ｍ）を決定するステップと、
前記Ｐ／Ｍが第２の閾値より低かった場合に、ユーザーによる入力及びアドミニストレータによる入力のうちの何れかにより、前記ターゲットのクライアント装置の主ユーザーを決定するステップと、
前記Ｌ／Ｒ及び前記Ｐ／Ｍに基づいて信頼度を計算するステップと、
前記ターゲットのクライアント装置の前記主ユーザーの物理的位置情報をディレクトリサービスから取得するステップと、
前記物理的位置情報及び計算された前記信頼度を位置情報サービスに提供するステップと、
前記位置情報サービスから要求を受けたことに応答して、信頼できる位置証明サーバーによる位置証明書を要求するステップと、
前記ターゲットのクライアント装置の位置及び識別子と同じ証人集合内の少なくとも１つの他のクライアント装置の位置及び識別子との比較に基づいて作成された前記位置証明書を受信するステップと
を有する、コンピューティング装置。
【請求項８】
前記位置情報サービスは或る処理を実行するように形成され、該処理は、
同じサブネット上の所定数のクライアント装置を、証人集合として機能する前記ターゲットのクライアント装置として選択するステップと、
比較される前記ネットワーク内の前記ターゲットのクライアント装置の位置と前記ネットワーク内の同じ位置付近の証人集合とを比較することで、前記ターゲットのクライアント装置の位置を確認するステップと
を含む、請求項７に記載のコンピューティング装置。
【請求項９】
前記確認するステップが、証人集合のうち少なくとも１つのランダムに選択されたクライアント装置を検査し、該クライアント装置が前記同じサブネット上にあることを確認することで実行される、請求項８に記載のコンピューティング装置。
【請求項１０】
前記Ｌ／Ｒ及び前記Ｐ／Ｍは、前記ターゲットのクライアント装置に関連するイベントの検査に基づいて決定され、前記イベントは、例外的な出来事が適切に捕捉されるように所定の期間にわたって記録される、請求項７に記載のコンピューティング装置。
【請求項１１】
前記第１及び第２の閾値は、ターゲットのクライアント装置のタイプ、ネットワークのタイプ、時刻、前記ネットワーク内のクライアント装置の数、使用パターン、及び前記クライアント装置の地理的分布による群中の少なくとも１つに基づいて決定されかつ動的に調整される、請求項７に記載のコンピューティング装置。
【請求項１２】
ネットワーク通信システムにおける位置決定のための処理方法を装置に実行させるコンピュータプログラムであって、前記処理方法処理は、
証人集合を形成するために、同じサブネット上の所定数のコンピューティング装置をターゲットのコンピューティング装置として選択するステップと、
ターゲットのコンピューティング装置についてのローカル対リモートの使用比率を決定するステップと、
物理的位置、ネットワーク識別子、マシン識別子、タイムスタンプ、及び信頼度による群中の少なくとも１つと、前記ターゲットのコンピューティング装置との間の対応関係を維持するステップであって、前記信頼度は、ローカル対リモートの使用比率、前記ターゲットのコンピュータ装置についての主な使用比率、及び対象のユーザーによる入力のうちの１つ上に基づいて判定される、ステップと、
前記信頼度が前記対象のユーザーによる入力に基づいて判定された場合、低い信頼度値を前記信頼度に割り当てるステップと、
位置情報サービスからの要求に応答して、対応付けられた情報に基づいて前記ターゲットのコンピューティング装置の位置を確認するステップと、
前記要求に応答して、前記コンピューティング装置について確認された位置及び前記対応付けられた情報を前記位置情報サービスに提供するステップと
を有する、コンピュータプログラム。
【請求項１３】
前記処理方法は、
前記対応付けられた情報の少なくとも一部をアドミニストレータに提供するステップと、
アドミニストレータの確認を受領するステップと、
前記対応付けられた情報の確認された部分を高信頼度エントリとして格納するステップと
をさらに有する、請求項１２に記載のコンピュータプログラム。
【請求項１４】
前記処理方法は、
前記ターゲットのコンピューティング装置がシングルユーザー装置であった場合に、前記ターゲットのコンピューティング装置について前記対応付けられた情報を高信頼度エントリとして格納するステップと、
前記ターゲットのコンピューティング装置がマルチユーザー装置でありかつ前記主な使用比率が所定の閾値より低くかった場合に、前記ターゲットのコンピューティング装置によりユーザー入力を要求し、前記ターゲットのコンピューティング装置について前記対応付けられた情報を低信頼度エントリとして格納するステップと、
前記ターゲットのコンピューティング装置がマルチユーザー装置でありかつユーザー入力が前記ターゲットのコンピューティング装置から受信されている場合に、関連する証人集合内のコンピューティング装置を検査することで、受信した前記ユーザー入力を確認し、前記ターゲットのコンピューティング装置についての前記対応付けられた情報を確認された高信頼度エントリとして格納するステップと
をさらに有する、請求項１３に記載のコンピュータプログラム。
【請求項１５】
前記ローカル対リモートの使用比率の判定の頻度、主な使用比率の判定の頻度、及び前記確認の頻度が、前記ターゲットのコンピューティング装置に関する履歴変更記録に基づいて決定されている、請求項１２に記載のコンピュータプログラム。
【手続補正２】
【補正対象書類名】明細書
【補正対象項目名】発明の名称
【補正方法】変更
【補正の内容】
【発明の名称】位置決定のための方法、コンピューティング装置及びコンピュータプログラム